(57)【要約】  本発明は燃焼チャンバ１を有する連続流動蒸気発生器に関し、燃焼チャンバ１は、略矩形断面と下方および上方燃焼チャンバ領域１１，１２と、排ガス側で燃焼チャンバ１の下流に接続された水平ガス通路２とを有する。連続流動蒸気発生器の気密性およびガス透過性の封入壁Ｓ，Ｆ，Ｒ，Ｎ，Ｇは、流動媒体が内部を流動可能な相互溶着蒸気発生器チューブ１０から全体的または部分的に形成され、かつコレクタ３１〜４０が、平行接続された複数の蒸気発生器チューブからなるグループが周壁Ｓ，Ｆ，Ｒ，Ｎ，Ｇの加熱面セグメントＨ１〜Ｈ１０を形成するよう構成されかつチューブに接続される。第１の流路コレクタ３１，３３，３４が、下方燃焼チャンバ領域１１の２つの平行な第１の周壁の第１の加熱面セグメントＨ１，Ｈ２からの流動媒体が、上方燃焼チャンバ領域１２の第２の封入壁の第２の加熱面セグメントＨ９，Ｈ１０の流動媒体に混合できるように構成接続される。
2016529467.tif 000002
【特許請求の範囲】
【請求項１】
燃焼チャンバ（１）を有する連続流動蒸気発生器であって、
前記燃焼チャンバ（１）は、略矩形断面のものであり、かつ下方および上方燃焼チャンバ領域（１１，１２）を有しており、
前記連続流動蒸気発生器は、前記排ガス側において前記燃焼チャンバ（１）の下流に接続された水平ガス通路（２）を有しており、
前記連続流動蒸気発生器の気密性およびガス透過性の封入壁（Ｓ，Ｆ，Ｒ，Ｎ，Ｇ）が、流動媒体が流動可能な相互溶着蒸気発生器チューブ（１０）から全体的にあるいは部分的に形成され、かつ、
コレクタ（３１〜４０）が、平行接続された複数の蒸気発生器チューブからなるグループが前記封入壁（Ｓ，Ｆ，Ｒ，Ｎ，Ｇ）の加熱面セグメント（Ｈ１〜Ｈ１０）を形成するように構成されかつ前記蒸気発生器チューブに接続され、
第１の流路コレクタ（３１，３３，３４）が、前記下方燃焼チャンバ領域（１１）からの２つの平行な第１の封入壁の第１の加熱面セグメント（Ｈ１，Ｈ２）からの前記流動媒体が、前記上方燃焼チャンバ領域（１２）からの、前記第１の封入壁に直交する第２の封入壁の第２の加熱面セグメント（Ｈ９，Ｈ１０）からの流動媒体と混合できるように、構成されかつ接続されていることを特徴とする連続流動蒸気発生器。
【請求項２】
前記第２の封入壁は、前壁（Ｆ）と、前記上方燃焼チャンバ領域（１２）の前記後壁（Ｒ）の一部とノーズ（Ｎ）と火格子（Ｇ）とから形成される後壁アセンブリと、であり、かつ、
さらに前記第１の封入壁は、前記下方燃焼チャンバ領域（１１）の２つの側壁（Ｓ）であることを特徴とする請求項１に記載の連続流動蒸気発生器。
【請求項３】
第２のコレクタ（３５，３７）および少なくとも１つの立下り管（４）が、前記上方燃焼チャンバ領域（１２）の前記第２の封入壁の前記第２の加熱面セグメント（Ｈ９，Ｈ１０）からの前記流動媒体が、前記上方燃焼チャンバ領域（１２）の前記第１の封入壁の第３の加熱面セグメント（Ｈ３〜Ｈ５）に供給できるように、構成されかつ接続されていることを特徴とする請求項１または請求項２に記載の連続流動蒸気発生器。
【請求項４】
前記少なくとも１つの立下り管（４）を介して、流動媒体を、前記水平ガス通路（２）の側方封入壁の前記第４の加熱面セグメント（Ｈ６）に、かつ／または上方燃焼チャンバ領域（１２）と水平ガス通路（２）との間の前記移行部に配置される燃焼チャンバ流出火格子（ＺＧ）に、供給可能であることを特徴とする請求項３に記載の連続流動蒸気発生器。
【請求項５】
前記第１のコレクタ（３１，３３，３４）は、前記下方燃焼チャンバ領域（１１）からの前記第１の封入壁の角壁領域からなる加熱面セグメントからの流動媒体が、前記上方燃焼チャンバ領域（１２）の前記第２の封入壁の中央壁領域に供給できかつ／または該中央壁領域で混合できるように、接続されていることを特徴とする請求項１から請求項４のいずれか一項に記載の連続流動蒸気発生器。
【請求項６】
前記第１のコレクタ（３１，３３，３４）は、前記下方燃焼チャンバ領域（１１）からの前記第１の封入壁の中央壁領域からなる加熱面セグメントからの流動媒体が、前記上方燃焼チャンバ領域（１２）の前記第２の封入壁の角壁領域に供給できかつ／または該角壁領域で混合できるように、接続されていることを特徴とする請求項１から請求項５のいずれか一項に記載の連続流動蒸気発生器。
【発明の詳細な説明】
【技術分野】
【０００１】
本発明は、特許請求の範囲の請求項１のプリアンブルに記載の連続流動蒸気発生器に関するものである。
【背景技術】
【０００２】
本発明は、具体的には発電所のための連続流動蒸気発生器(continuous flow steam generator)に関するものであり、この蒸気発生器は、略矩形断面の燃焼チャンバと、排ガス側において燃焼チャンバの下流に接続されるとともにさらなる垂直ガス通路に接続され得る水平ガス通路と、を有する。そうした構造は、ツーパスボイラ(two-pass boiler)とも呼ばれており、例えば特許文献１から公知となっている。なお、流動媒体が内部を流動可能な相互溶着蒸気発生器チューブが、連続流動蒸気発生器の気密封入壁と気体透過性火格子壁との両方を形成できる。蒸気発生器チューブに接続される対応して構成されるコレクタが、封入壁のうちの平行接続された複数の蒸気発生器チューブからなるグループから構成されるさまざまな加熱面セグメントを形成可能にする。原則として、連続流動蒸気発生器の蒸気発生器チューブは、その長さの一部または全体において垂直にかつ／またはらせん状つまりスパイラル形状の様式で構成可能である。さらに連続流動蒸気発生器は連続強制流動蒸気発生器の形態とされてもよい。
【０００３】
特許文献２には、シングルパスボイラまたはタワーボイラと称される垂直配管を備える連続流動蒸気発生器が開示される。この場合、封入壁の配管は、下方セクションと上方セクションとに区分されており、これらセクションは流路コレクタによって互いに接続される。この流路コレクタは、さらなる手段を用いずに蒸気発生器チューブ間の完全な圧力均等化をもたらすが、一方で流動媒体の不完全な混合をもたらす。下方セクションにおける蒸気発生器チューブの流出温度における差異または流出エントロピーにおける差異は、流路コレクタでは部分的にしか補われず、そのため流動媒体は上方セクションにおける蒸気発生器チューブへ向けて前方へ誘導され部分的にしか混合されない。なお上方セクションの蒸気発生器チューブでは加熱が不均一となるため、蒸気発生器チューブ内の流動媒体の局所的な温度差が封入壁内でさらに大きくなることがあり、ある環境下ではこの温度差は許容できないほど大きな値に達することがある。この温度値が材料の基準温度を超える場合、あるいはこの高い温度値によって許容できないほど大きな材料応力が生じる場合に、封入壁が損傷に生じることがあり、こうした損傷は発電所の信頼性のある動作のために避けなければならない。
【０００４】
そのため特許文献２には、上方セクションにおいて平行な蒸気発生器チューブを備える連続強制流動蒸気発生器に関して、蒸気発生器の全負荷での蒸気発生器チューブにおける平均質量流密度を１２００ｋｇ／ｍ２ｓ以下にならないように蒸気発生器チューブのための設計パラメータが選択されることが提案されている。しかしながら、流量分布の均一化およびこの方法によって実現される上方垂直配管における停滞の回避は、特定の状況下では、例えば１３ＣｒＭｏ４５（Ｔ１２）などの従来の材料を使用できるようにある程度まで局所的に温度の不均衡を低減させるための手段としては十分ではない。そうした場合では、さらなる高合金材料が使用され得る。したがって、特に上方セクションにおける封入壁に関して、材料７ＣｒＷＶＭｏＮｂ９−６（Ｔ２３）または７ＣｒＭｏＶＴｉＢ１０−１０（Ｔ２４）が検討されるか使用される。これら材料の場合、連続流動蒸気発生器のひいては発電所全体の確実な作動について、溶着接続部の信頼性および耐久性にとりわけ注意を払う必要がある。
【先行技術文献】
【特許文献】
【０００５】
【特許文献１】欧州特許出願公開第２  １８２  ２７８号明細書
【特許文献２】独国特許出願公開第１０  ２０１０  ０３８  ８８５  号明細書
【発明の概要】
【発明が解決しようとする課題】
【０００６】
本発明の目的は上述の欠点を解消する連続流動蒸気発生器を提供することである。この目的は特許請求の範囲の請求項１の特徴を有する連続流動蒸気発生器によって達成される。
【課題を解決するための手段】
【０００７】
本発明によれば、排ガス側で燃焼チャンバの下流に接続された水平ガス通路を備えるツーパスボイラとして設計された連続流動蒸気発生器のために、蒸気発生器チューブの新規な接続構造が提案される。慣習的にそうしたツーパスボイラの場合、上方燃焼チャンバ領域において、前壁の蒸気発生器チューブと後壁の蒸気発生器チューブと側壁の蒸気発生器チューブとは平行に接続される。続いて後壁の蒸気発生器チューブは例えば後壁表面にわたって分配されており、その一部が、ノーズと水平ガス通路のベースと水平ガス通路の端部における火格子とを形成しており、かつ他の部分が、ノーズの下流では非加熱様式で延在しており、さらに上方では燃焼チャンバから水平ガス通路への移行部における火格子を形成する。新規な接続構造では、第１のコレクタが、下方燃焼チャンバ領域からの２つの平行な第１の封入壁の第１の加熱面セグメントから蒸気発生器チューブを流動する流動媒体を、第１の封入壁に直交する第２の封入壁の第２の加熱面セグメントからの流動媒体に混合できるように、構成されかつ接続されており、それによって質量流密度が高まり温度の均一化が達成される。
【０００８】
第２の封入壁が、前壁と、上方燃焼チャンバ領域の後壁とノーズと火格子とから形成される後壁アセンブリと、である場合に、あるいは第１の封入壁が下方燃焼チャンバ領域の２つの側壁である場合に、下方前壁および後壁の質量流と同様に２つの下方側壁の混合された質量流を使用できるため、上方前壁および後壁アセンブリのための配管冷却のために利用可能な質量流は大幅に増大する。より大きな質量流により、前壁および後壁アセンブリの加熱面セグメントの蒸気発生器チューブ内の質量流密度を高めることができ、それによって封入壁の冷却が向上される。さらに、加熱面セグメントに供給される熱は、流動媒体のより大きな質量流に起因して温度上昇をより少なくする。したがって具体的には上方燃焼チャンバ領域における封入壁、特に一般的に非常に高い熱吸収率を示すツーパスボイラの前壁において、より高い質量流密度に起因して流入温度の均一化を達成でき、ひいては作動の信頼性を大幅に高めることができる。
【０００９】
本発明の好ましい改良案では、第２の通路コレクタおよび少なくとも１つの立下り管が、上方燃焼チャンバ領域の第２の封入壁からの流動媒体を上方燃焼チャンバ領域の封入壁の第３の加熱面セグメントに供給可能なように構成されかつ接続される。理想的には、上方前壁および水平ガス通路の端部における火格子の流出部において、流動媒体が対応するコレクタに回収されて、いずれの場合にも２つの立下り管を介して２つの上方側壁と燃焼チャンバ流出火格子と水平ガス通路の側壁との１つに供給される。
【００１０】
ここで第１のコレクタは、下方燃焼チャンバ領域の第１の封入壁の角壁領域からなる加熱面セグメントからの流動媒体を、上方燃焼チャンバ領域の第２の封入壁の中央壁領域へ供給できかつ／または該領域で混合できるように接続されていることが好ましい。なお下方側壁の流出部において、縁部領域の比較的冷たい流動媒体を、上方前壁および後壁の比較的温度の高い中央領域に供給できる。側壁の中央からの比較的温かい流動媒体は、前壁および後壁の縁部領域の比較的冷たい領域の流動媒体に混合される。この混合は流動媒体の温度の均質化の向上をもたらす。
【００１１】
それによって完全に、本発明によって特に上方前壁および後壁のための配管冷却に利用可能な質量流を大幅に増大させることができる。より大きな質量流によって、蒸気発生器チューブにおける質量流密度を高めることができ、冷却効果を向上できる。さらに流動媒体の質量流がより大きいため、２つの壁に供給された熱はより小さな温度上昇しかもたらさない。完全な混合は、前壁および後壁の流出部コレクタの下流および水平ガス通路の火格子の下における立下り管で行われると見なすことができる。上方側壁の流出部における加熱面の上流には温度不均衡が存在しないため、これは、平均流入部温度が前壁および後壁での熱吸収に起因して高められるにも関わらず、加熱面における加熱の不均衡の結果として、上方側壁の流出部において、蒸気発生器チューブの従来の接続構造に比べてより低い最大流出部温度しかもたらさない。
【図面の簡単な説明】
【００１２】
【図１】本発明に基づく連続流動蒸気発生器の例示的な実施形態の側面図である。
【発明を実施するための形態】
【００１３】
以下では、本発明について図面に基づいて例示的に説明する。図面には、本発明に基づく連続流動蒸気発生器の実現可能な例示的な実施形態の側面図が概略的に示される。連続流動蒸気発生器は、下方燃焼チャンバ領域１１と上方燃焼チャンバ領域１２とを備える燃焼チャンバ１を有しており、水平ガス通路２が上方燃焼チャンバ領域１２に接続される。水平ガス通路は続いて、追加的に図示されない垂直ガス通路に接続されてもよい。複数のバーナー（詳細には図示されない）が下方燃焼チャンバ領域１１に設けられており、これらバーナーは、燃焼チャンバ１内の液体燃料、固形燃料または気体燃料を燃焼させる。燃焼によって生じた排ガスは続いて上方燃焼チャンバ領域１２へ流動し、この上方燃焼チャンバ領域１２から水平ガス通路２へ流入する。燃焼チャンバと水平ガス通路２との包囲壁は蒸気発生器チューブ１０から形成されており、これらチューブ１０は互いに気密様式で溶接されており、チューブ１０には、より詳細には図示されないポンプを用いて、バーナーによって生じた排ガスによって加熱された流動媒体−通常は水−がポンプで送り込まれる。下方燃焼チャンバ領域１１では、蒸気発生器チューブ１０が、その長さの一部あるいは全体にわたって、垂直方向に方向付けられかつ／またはらせん状つまりスパイラル形状の様式で方向付けられてもよい。こうしたスパイラル形状構造では建造に関して比較的高い出費が要求されるが、その代わりに、平行接続された蒸気発生器チューブ間に生じる熱差が、単なる垂直配管を備える燃焼チャンバ１の場合と比べると比較的小さくなる。図示される連続流動蒸気発生器は、排ガスの誘導状態を向上させるために、後壁Ｒの蒸気発生器チューブから形成されるノーズＮをさらに備える。ノーズＮは燃焼チャンバ内に突出する。燃焼チャンバ壁の蒸気発生器チューブは蒸発器チューブとして設計される。流動媒体は該チューブ内で気化されて、燃焼チャンバの上端における流出部コレクタ３２，３６および４０を介して、水分離システム５に供給される。水分離システム５では、依然として気化されていない水分が回収されて排出される。これは、蒸気発生器チューブの信頼性のある冷却に関して、チューブを流動媒体が流れる間に気化可能な流動媒体の流量に比べて送り込まれる流動媒体の流量がより大きいことが必要とされる場合に、特に始動工程中に必要である。そのようにして生じた蒸気は、連続流動蒸気発生器の天井を形成する下流過熱器チューブ７の流入部コレクタ６へ誘導される。
【００１４】
これらコレクタは、慣習的に下方燃焼チャンバ１１から上方燃焼チャンバ１２への移行領域に配置されかつ接続されており、またこの場合は流路コレクタの形態のものである。こうしたコレクタは、下方燃焼チャンバ領域１１および上方燃焼チャンバ領域１２の蒸気発生器チューブ間の分離ポイントを形成する。それがまさに本発明が意図されるところである。本発明によれば、この分離ポイントにおいて、第１のコレクタ３１，３３および３４が、下方燃焼チャンバ領域１１の第１の包囲壁としての２つの平行な側壁Ｓの第１の加熱面セグメントＨ１およびＨ２からの流動媒体を、第２の包囲壁としての上方燃焼チャンバ領域１２の前壁Ｆおよび後壁Ｒの第２の加熱面セグメントＨ９およびＨ１０からの流動媒体と混合できるように、配置されかつ接続される構成が提供される。ここでは保証すべきことに、上方燃焼チャンバ領域１２において、後壁Ｒの配管は、第１のコレクタ３１の上方において、途切れることなくノーズＮとして形成される領域へ移行しかつ続いて水平通路２の流出部において後続の火格子Ｇへ移行して、最終的に後壁アセンブリの加熱面セグメントＨ１０をともに形成する。これは、下方燃焼チャンバ領域１１の加熱面セグメントＨ７およびＨ８から流出した流動媒体が、該流動媒体と上方燃焼チャンバ領域１２で混合される下方燃焼チャンバ領域１１の側方加熱面セグメントＨ１およびＨ２からの付加的な流動媒体を含むこと、それゆえ上方燃焼チャンバ領域１２では、前壁とＲ，ＮおよびＧから形成される後壁アセンブリとからなる加熱面セグメントＨ９およびＨ１０において、流動媒体の質量流量が高められる。発電施設の燃焼チャンバは矩形断面を有するため、前壁および後壁あるいは後壁アセンブリは、平行な側壁に対して直交するよう配置される。前壁および後壁あるいは後壁アセンブリは、さらに天井の壁と側壁とともに、燃焼チャンバと排ガス側で下流に接続された水平ガス通路との包囲壁を形成する。本発明の例示的な実施形態では、流出部コレクタの形態のコレクタ３５および３７が、上方燃焼チャンバ領域１２の上端に設けられ、かついずれのコレクタ３５および３７も、平行な側壁Ｓの各側における１つの立下り管４に接続されており、それによって上方燃焼チャンバ領域１２の第２の包囲壁Ｆからなる第２の加熱面セグメントＨ９からの流動媒体と、上方燃焼チャンバ領域１２の後壁ＲのノーズＮと水平ガス通路２の火格子Ｇとからなる第２の加熱面セグメントＨ１０からの流動媒体とを、上方燃焼チャンバ領域１２の側方包囲壁Ｓの第３の加熱面セグメントＨ３〜Ｈ５に供給でき、かつ／または水平ガス通路２の側方包囲壁の第４の加熱面セグメントＨ６に供給でき、かつ／または上方燃焼チャンバ領域１２と水平ガス通路２との間の移行部に配置された燃焼チャンバ流出火格子ＺＧにコレクタ３６’を介して供給できる。流動媒体は続いて、上述の加熱面セグメントを通って下から上へ流動し、コレクタ３２，３６および４０で回収され、水分離システム５に供給される。
【００１５】
図示される好ましい実施形態ではさらに、下方燃焼チャンバ領域１１の角壁領域からなる加熱面セグメントＨ１の蒸気発生器チューブ１０は、上方燃焼チャンバ領域１２の前方包囲壁のおよび後方包囲壁アセンブリの中央壁領域（詳細には図示せず）からなる加熱面セグメントに、流路コレクタ３１および３３を用いて接続される。対応して、下方燃焼チャンバ領域１１の中央壁領域からなる加熱面セグメントＨ２の蒸気発生器チューブ１０は、上方燃焼チャンバ領域１２の前方包囲壁のおよび上方後壁アセンブリの角壁領域からなる加熱面セグメントにコレクタ３１および３４を用いて接続される。前壁Ｆおよび後壁あるいは上方燃焼チャンバ領域１２の後壁Ｒの一部とノーズＮと火格子Ｇとから形成される後壁アセンブリの区分けは、図面には側面が図示されるため図示されていないが、対応する加熱面セグメントとなるように図示された側壁の区分けと同様に実現され得る。
【００１６】
蒸気発生器チューブおよびコレクタの本発明に基づく接続構造では、特に包囲壁の冷却に関して、かつ上方燃焼チャンバ領域１２における温度の不均衡に関して利点が得られる。より高い質量流量密度は内部熱伝達率を向上させる。前壁と、後続のノーズと水平ガス通路ベースと火格子を備える後壁とにおけるウォームアップの広がりが短ければ短いほど、流出温度はより低くなる。さらに、上方前壁および後壁の流入部での側壁からの流動媒体の目標とされる混合に関して好ましい効果がある。またなぜなら流動媒体は流入部で完全に混合されており、そのため該流動媒体は、流入部コレクタにおいてはもはや温度の不均衡が存在しないと見なされるため、上方燃焼チャンバ領域１２における側壁に関してこの接続構造は有利となる。ツーパスボイラとして設計された連続流動蒸気発生器の燃焼チャンバの蒸気発生器チューブの本発明に基づく接続構造は、下方側壁流出部コレクタと、上方前壁および後壁と、上方側壁の流入部における付加的なコレクタとの間のパイプラインのための構造に関して付加的な出費を正当にもたらす。なお本発明に基づく接続構造を用いることによって、材料Ｔ２３およびＴ２４の使用を実施的に回避でき、かつ処理に関連する困難性を避けることができる。さらに本発明に基づく接続構造を用いて、発電所の作動状態は、連続流動蒸気発生器または連続強制流動蒸気発生器の形態の連続流動蒸気発生器が６００℃から７００℃の範囲のより高いフレッシュスチーム温度で作動するよう意図されると考えられる。これは原則的には、流動媒体の局所的な混合を引き起こす加熱面セグメントの所定の様式の相互接続構造によって実現される。そのため同様に、下方燃焼チャンバ領域１１の前壁Ｆおよび後壁Ｒの加熱面セグメントからの流動媒体を、上方燃焼チャンバ領域１２の側壁Ｓの加熱面セグメントの作動媒体に混合できる構造を提供できる。
【符号の説明】
【００１７】
１  燃焼チャンバ
２  水平ガス通路
４  立下り管
５  水分離システム
６  流入部コレクタ
７  下流過熱器チューブ
１０  蒸気発生器チューブ
１１  下方燃焼チャンバ領域
１２  上方燃焼チャンバ領域
３１，３３，３４  第１の流路コレクタ
３２  流出部コレクタ
３５，３７  第２の流出部コレクタ
３６，３６’  流出部コレクタ
Ｈ１〜Ｈ１０  加熱面セグメント
Ｆ  前壁
Ｒ  後壁
Ｓ  側壁
Ｎ  ノーズ
Ｇ  火格子
【図１】
2016529467.tif 000003
【手続補正書】
【提出日】平成28年5月13日(2016.5.13)
【手続補正１】
【補正対象書類名】特許請求の範囲
【補正対象項目名】全文
【補正方法】変更
【補正の内容】
【特許請求の範囲】
【請求項１】
燃焼チャンバ（１）を有する連続流動蒸気発生器であって、
前記燃焼チャンバ（１）は、略矩形断面のものであり、かつ下方燃焼チャンバ領域（１１）と上方燃焼チャンバ領域（１２）とを有しており、
前記連続流動蒸気発生器は、排ガス側において前記燃焼チャンバ（１）の下流に接続された水平ガス通路（２）を有しており、
前記連続流動蒸気発生器の第１の気密性の筐体壁（Ｓ）と、第２の気密性の筐体壁（Ｆ，Ｒ）と気体透過性の壁（Ｎ，Ｇ）とが、流動媒体が流動可能な相互溶着蒸気発生器チューブ（１０）から全体的にあるいは部分的に形成され、かつ、
第１のコレクタ（３１，３３，３４）および第２のコレクタ（３２，３５〜４０）が、
平行接続された複数の蒸気発生器チューブからなるグループが前記第１の気密性の筐体壁（Ｓ）の第１の加熱面セグメント（Ｈ１，Ｈ２）と、
前記第２の気密性の筐体壁（Ｆ，Ｒ）および前記気体透過性の壁（Ｎ，Ｇ）の第２の加熱面セグメント（Ｈ９，Ｈ１０）と、
前記上方燃焼チャンバ領域（１２）の、前記第２の気密性の筐体壁に直交する、前記第１の気密性の筐体壁の第３の加熱面セグメント（Ｈ３〜Ｈ５）と、
前記水平ガス通路（２）の側方筐体壁の第４の加熱面セグメント（Ｈ６）と、
を形成するように構成されかつ前記蒸気発生器チューブに接続され、
前記第１のコレクタ（３１，３３，３４）は、
前記下方燃焼チャンバ領域（１１）の２つの平行な第１の筐体壁の前記第１の加熱面セグメント（Ｈ１，Ｈ２）からの流動媒体が、前記上方燃焼チャンバ領域（１２）の前記第１の筐体壁に直交する、第２の筐体壁の前記第２の加熱面セグメント（Ｈ９，Ｈ１０）からの流動媒体と混合できるように、
構成されかつ前記第２のコレクタ（３２，３５〜４０）に接続されていることを特徴とする連続流動蒸気発生器。
【請求項２】
前記第１のコレクタ（３１，３３，３４）は、前記下方燃焼チャンバ領域（１１）の前記第１の気密性の筐体壁の角壁領域からなる加熱面セグメントからの流動媒体が、前記上方燃焼チャンバ領域（１２）の前記第２の気密性の筐体壁または前記気体透過性の壁の中央壁領域に供給できかつ該中央壁領域で混合できるように、接続されていることを特徴とする請求項１に記載の連続流動蒸気発生器。
【請求項３】
前記第１のコレクタ（３１，３３，３４）は、前記下方燃焼チャンバ領域（１１）の前記第１の気密性の筐体壁の中央壁領域からなる加熱面セグメントからの流動媒体が、前記上方燃焼チャンバ領域（１２）の前記第２の気密性の筐体壁または前記気体透過性の壁の角壁領域に供給できかつ該角壁領域で混合できるように、接続されていることを特徴とする請求項１または請求項２に記載の連続流動蒸気発生器。
【手続補正２】
【補正対象書類名】明細書
【補正対象項目名】全文
【補正方法】変更
【補正の内容】
【発明の詳細な説明】
【技術分野】
【０００１】
本発明は、特許請求の範囲の請求項１のプリアンブルに記載の連続流動蒸気発生器に関するものである。
【背景技術】
【０００２】
本発明は、具体的には発電所のための連続流動蒸気発生器(continuous flow steam generator)に関するものであり、この蒸気発生器は、略矩形断面の燃焼チャンバと、排ガス側において燃焼チャンバの下流に接続されるとともにさらなる垂直ガス通路に接続され得る水平ガス通路と、を有する。そうした構造は、ツーパスボイラ(two-pass boiler)とも呼ばれており、例えば特許文献１から公知となっている。なお、流動媒体が内部を流動可能な相互溶着蒸気発生器チューブが、連続流動蒸気発生器の気密筐体壁と気体透過性火格子壁との両方を形成できる。蒸気発生器チューブに接続される対応して構成されるコレクタが、筐体壁のうちの平行接続された複数の蒸気発生器チューブからなるグループから構成されるさまざまな加熱面セグメントを形成可能にする。原則として、連続流動蒸気発生器の蒸気発生器チューブは、その長さの一部または全体において垂直にかつ／またはらせん状つまりスパイラル形状の様式で構成可能である。さらに連続流動蒸気発生器は連続強制流動蒸気発生器の形態とされてもよい。
【０００３】
特許文献２には、シングルパスボイラまたはタワーボイラと称される垂直配管を備える連続流動蒸気発生器が開示される。この場合、筐体壁の配管は、下方セクションと上方セクションとに区分されており、これらセクションは流路コレクタによって互いに接続される。この流路コレクタは、さらなる手段を用いずに蒸気発生器チューブ間の完全な圧力均等化をもたらすが、一方で流動媒体の不完全な混合をもたらす。下方セクションにおける蒸気発生器チューブの流出温度における差異または流出エントロピーにおける差異は、流路コレクタでは部分的にしか補われず、そのため流動媒体は上方セクションにおける蒸気発生器チューブへ向けて前方へ誘導され部分的にしか混合されない。なお上方セクションの蒸気発生器チューブでは加熱が不均一となるため、蒸気発生器チューブ内の流動媒体の局所的な温度差が筐体壁内でさらに大きくなることがあり、ある環境下ではこの温度差は許容できないほど大きな値に達することがある。この温度値が材料の基準温度を超える場合、あるいはこの高い温度値によって許容できないほど大きな材料応力が生じる場合に、筐体壁が損傷に生じることがあり、こうした損傷は発電所の信頼性のある動作のために避けなければならない。
【０００４】
そのため特許文献２には、上方セクションにおいて平行な蒸気発生器チューブを備える連続強制流動蒸気発生器に関して、蒸気発生器の全負荷での蒸気発生器チューブにおける平均質量流密度を１２００ｋｇ／ｍ２ｓ以下にならないように蒸気発生器チューブのための設計パラメータが選択されることが提案されている。しかしながら、流量分布の均一化およびこの方法によって実現される上方垂直配管における停滞の回避は、特定の状況下では、例えば１３ＣｒＭｏ４５（Ｔ１２）などの従来の材料を使用できるようにある程度まで局所的に温度の不均衡を低減させるための手段としては十分ではない。そうした場合では、さらなる高合金材料が使用され得る。したがって、特に上方セクションにおける筐体壁に関して、材料７ＣｒＷＶＭｏＮｂ９−６（Ｔ２３）または７ＣｒＭｏＶＴｉＢ１０−１０（Ｔ２４）が検討されるか使用される。これら材料の場合、連続流動蒸気発生器のひいては発電所全体の確実な作動について、溶着接続部の信頼性および耐久性にとりわけ注意を払う必要がある。
【先行技術文献】
【特許文献】
【０００５】
【特許文献１】欧州特許出願公開第２  １８２  ２７８号明細書
【特許文献２】独国特許出願公開第１０  ２０１０  ０３８  ８８５  号明細書
【発明の概要】
【発明が解決しようとする課題】
【０００６】
本発明の目的は上述の欠点を解消する連続流動蒸気発生器を提供することである。この目的は特許請求の範囲の請求項１の特徴を有する連続流動蒸気発生器によって達成される。
【課題を解決するための手段】
【０００７】
本発明によれば、排ガス側で燃焼チャンバの下流に接続された水平ガス通路を備えるツーパスボイラとして設計された連続流動蒸気発生器のために、蒸気発生器チューブの新規な接続構造が提案される。慣習的にそうしたツーパスボイラの場合、上方燃焼チャンバ領域において、前壁の蒸気発生器チューブと後壁の蒸気発生器チューブと側壁の蒸気発生器チューブとは平行に接続される。続いて後壁の蒸気発生器チューブは例えば後壁表面にわたって分配されており、その一部が、ノーズと水平ガス通路のベースと水平ガス通路の端部における火格子とを形成しており、かつ他の部分が、ノーズの下流では非加熱様式で延在しており、さらに上方では燃焼チャンバから水平ガス通路への移行部における火格子を形成する。新規な接続構造では、第１のコレクタが、下方燃焼チャンバ領域の２つの平行な第１の筐体壁の第１の加熱面セグメントから蒸気発生器チューブを流動する流動媒体を、第１の筐体壁に直交する第２の筐体壁の第２の加熱面セグメントからの流動媒体に混合できるように、構成されかつ接続されており、それによって質量流密度が高まり温度の均一化が達成される。
【０００８】
第２の筐体壁が、前壁と、上方燃焼チャンバ領域の後壁とノーズと火格子とから形成される後壁アセンブリと、である場合に、あるいは第１の筐体壁が下方燃焼チャンバ領域の２つの側壁である場合に、下方前壁および後壁の質量流と同様に２つの下方側壁の混合された質量流を使用できるため、上方前壁および後壁アセンブリのための配管冷却のために利用可能な質量流は大幅に増大する。より大きな質量流により、前壁および後壁アセンブリの加熱面セグメントの蒸気発生器チューブ内の質量流密度を高めることができ、それによって筐体壁の冷却が向上される。さらに、加熱面セグメントに供給される熱は、流動媒体のより大きな質量流に起因して温度上昇をより少なくする。したがって具体的には上方燃焼チャンバ領域における筐体壁、特に一般的に非常に高い熱吸収率を示すツーパスボイラの前壁において、より高い質量流密度に起因して流入温度の均一化を達成でき、ひいては作動の信頼性を大幅に高めることができる。
【０００９】
本発明の好ましい改良案では、第２の通路コレクタおよび少なくとも１つの立下り管が、上方燃焼チャンバ領域の第２の筐体壁からの流動媒体を上方燃焼チャンバ領域の筐体壁の第３の加熱面セグメントに供給可能なように構成されかつ接続される。理想的には、上方前壁および水平ガス通路の端部における火格子の流出部において、流動媒体が対応するコレクタに回収されて、いずれの場合にも２つの立下り管を介して２つの上方側壁と燃焼チャンバ流出火格子と水平ガス通路の側壁との１つに供給される。
【００１０】
ここで第１のコレクタは、下方燃焼チャンバ領域の第１の筐体壁の角壁領域からなる加熱面セグメントからの流動媒体を、上方燃焼チャンバ領域の第２の筐体壁の中央壁領域へ供給できかつ／または該領域で混合できるように接続されていることが好ましい。なお下方側壁の流出部において、縁部領域の比較的冷たい流動媒体を、上方前壁および後壁の比較的温度の高い中央領域に供給できる。側壁の中央からの比較的温かい流動媒体は、前壁および後壁の縁部領域の比較的冷たい領域の流動媒体に混合される。この混合は流動媒体の温度の均質化の向上をもたらす。
【００１１】
それによって完全に、本発明によって特に上方前壁および後壁のための配管冷却に利用可能な質量流を大幅に増大させることができる。より大きな質量流によって、蒸気発生器チューブにおける質量流密度を高めることができ、冷却効果を向上できる。さらに流動媒体の質量流がより大きいため、２つの壁に供給された熱はより小さな温度上昇しかもたらさない。完全な混合は、前壁および後壁の流出部コレクタの下流および水平ガス通路の火格子の下における立下り管で行われると見なすことができる。上方側壁の流出部における加熱面の上流には温度不均衡が存在しないため、これは、平均流入部温度が前壁および後壁での熱吸収に起因して高められるにも関わらず、加熱面における加熱の不均衡の結果として、上方側壁の流出部において、蒸気発生器チューブの従来の接続構造に比べてより低い最大流出部温度しかもたらさない。
【図面の簡単な説明】
【００１２】
【図１】本発明に基づく連続流動蒸気発生器の例示的な実施形態の側面図である。
【発明を実施するための形態】
【００１３】
以下では、本発明について図面に基づいて例示的に説明する。図面には、本発明に基づく連続流動蒸気発生器の実現可能な例示的な実施形態の側面図が概略的に示される。連続流動蒸気発生器は、下方燃焼チャンバ領域１１と上方燃焼チャンバ領域１２とを備える燃焼チャンバ１を有しており、水平ガス通路２が上方燃焼チャンバ領域１２に接続される。水平ガス通路は続いて、追加的に図示されない垂直ガス通路に接続されてもよい。複数のバーナー（詳細には図示されない）が下方燃焼チャンバ領域１１に設けられており、これらバーナーは、燃焼チャンバ１内の液体燃料、固形燃料または気体燃料を燃焼させる。燃焼によって生じた排ガスは続いて上方燃焼チャンバ領域１２へ流動し、この上方燃焼チャンバ領域１２から水平ガス通路２へ流入する。燃焼チャンバと水平ガス通路２との包囲壁は蒸気発生器チューブ１０から形成されており、これらチューブ１０は互いに気密様式で溶接されており、チューブ１０には、より詳細には図示されないポンプを用いて、バーナーによって生じた排ガスによって加熱された流動媒体−通常は水−がポンプで送り込まれる。下方燃焼チャンバ領域１１では、蒸気発生器チューブ１０が、その長さの一部あるいは全体にわたって、垂直方向に方向付けられかつ／またはらせん状つまりスパイラル形状の様式で方向付けられてもよい。こうしたスパイラル形状構造では建造に関して比較的高い出費が要求されるが、その代わりに、平行接続された蒸気発生器チューブ間に生じる熱差が、単なる垂直配管を備える燃焼チャンバ１の場合と比べると比較的小さくなる。図示される連続流動蒸気発生器は、排ガスの誘導状態を向上させるために、後壁Ｒの蒸気発生器チューブから形成されるノーズＮをさらに備える。ノーズＮは燃焼チャンバ内に突出する。燃焼チャンバ壁の蒸気発生器チューブは蒸発器チューブとして設計される。流動媒体は該チューブ内で気化されて、燃焼チャンバの上端における流出部コレクタ３２，３６および４０を介して、水分離システム５に供給される。水分離システム５では、依然として気化されていない水分が回収されて排出される。これは、蒸気発生器チューブの信頼性のある冷却に関して、チューブを流動媒体が流れる間に気化可能な流動媒体の流量に比べて送り込まれる流動媒体の流量がより大きいことが必要とされる場合に、特に始動工程中に必要である。そのようにして生じた蒸気は、連続流動蒸気発生器の天井を形成する下流過熱器チューブ７の流入部コレクタ６へ誘導される。
【００１４】
これらコレクタは、慣習的に下方燃焼チャンバ１１から上方燃焼チャンバ１２への移行領域に配置されかつ接続されており、またこの場合は流路コレクタの形態のものである。こうしたコレクタは、下方燃焼チャンバ領域１１および上方燃焼チャンバ領域１２の蒸気発生器チューブ間の分離ポイントを形成する。それがまさに本発明が意図されるところである。本発明によれば、この分離ポイントにおいて、第１のコレクタ３１，３３および３４が、下方燃焼チャンバ領域１１の第１の包囲壁としての２つの平行な側壁Ｓの第１の加熱面セグメントＨ１およびＨ２からの流動媒体を、第２の包囲壁としての上方燃焼チャンバ領域１２の前壁Ｆおよび後壁Ｒの第２の加熱面セグメントＨ９およびＨ１０からの流動媒体と混合できるように、配置されかつ接続される構成が提供される。ここでは保証すべきことに、上方燃焼チャンバ領域１２において、後壁Ｒの配管は、第１のコレクタ３１の上方において、途切れることなくノーズＮとして形成される領域へ移行しかつ続いて水平通路２の流出部において後続の火格子Ｇへ移行して、最終的に後壁アセンブリの加熱面セグメントＨ１０をともに形成する。これは、下方燃焼チャンバ領域１１の加熱面セグメントＨ７およびＨ８から流出した流動媒体が、該流動媒体と上方燃焼チャンバ領域１２で混合される下方燃焼チャンバ領域１１の側方加熱面セグメントＨ１およびＨ２からの付加的な流動媒体を含むこと、それゆえ上方燃焼チャンバ領域１２では、前壁とＲ，ＮおよびＧから形成される後壁アセンブリとからなる加熱面セグメントＨ９およびＨ１０において、流動媒体の質量流量が高められる。発電施設の燃焼チャンバは矩形断面を有するため、前壁および後壁あるいは後壁アセンブリは、平行な側壁に対して直交するよう配置される。前壁および後壁あるいは後壁アセンブリは、さらに天井の壁と側壁とともに、燃焼チャンバと排ガス側で下流に接続された水平ガス通路との包囲壁を形成する。本発明の例示的な実施形態では、流出部コレクタの形態のコレクタ３５および３７が、上方燃焼チャンバ領域１２の上端に設けられ、かついずれのコレクタ３５および３７も、平行な側壁Ｓの各側における１つの立下り管４に接続されており、それによって上方燃焼チャンバ領域１２の第２の包囲壁Ｆからなる第２の加熱面セグメントＨ９からの流動媒体と、上方燃焼チャンバ領域１２の後壁ＲのノーズＮと水平ガス通路２の火格子Ｇとからなる第２の加熱面セグメントＨ１０からの流動媒体とを、上方燃焼チャンバ領域１２の側方包囲壁Ｓの第３の加熱面セグメントＨ３〜Ｈ５に供給でき、かつ／または水平ガス通路２の側方包囲壁の第４の加熱面セグメントＨ６に供給でき、かつ／または上方燃焼チャンバ領域１２と水平ガス通路２との間の移行部に配置された燃焼チャンバ流出火格子ＺＧにコレクタ３６’を介して供給できる。流動媒体は続いて、上述の加熱面セグメントを通って下から上へ流動し、コレクタ３２，３６および４０で回収され、水分離システム５に供給される。
【００１５】
図示される好ましい実施形態ではさらに、下方燃焼チャンバ領域１１の角壁領域からなる加熱面セグメントＨ１の蒸気発生器チューブ１０は、上方燃焼チャンバ領域１２の前方包囲壁のおよび後方包囲壁アセンブリの中央壁領域（詳細には図示せず）からなる加熱面セグメントに、流路コレクタ３１および３３を用いて接続される。対応して、下方燃焼チャンバ領域１１の中央壁領域からなる加熱面セグメントＨ２の蒸気発生器チューブ１０は、上方燃焼チャンバ領域１２の前方包囲壁のおよび上方後壁アセンブリの角壁領域からなる加熱面セグメントにコレクタ３１および３４を用いて接続される。前壁Ｆおよび後壁あるいは上方燃焼チャンバ領域１２の後壁Ｒの一部とノーズＮと火格子Ｇとから形成される後壁アセンブリの区分けは、図面には側面が図示されるため図示されていないが、対応する加熱面セグメントとなるように図示された側壁の区分けと同様に実現され得る。
【００１６】
蒸気発生器チューブおよびコレクタの本発明に基づく接続構造では、特に包囲壁の冷却に関して、かつ上方燃焼チャンバ領域１２における温度の不均衡に関して利点が得られる。より高い質量流量密度は内部熱伝達率を向上させる。前壁と、後続のノーズと水平ガス通路ベースと火格子を備える後壁とにおけるウォームアップの広がりが短ければ短いほど、流出温度はより低くなる。さらに、上方前壁および後壁の流入部での側壁からの流動媒体の目標とされる混合に関して好ましい効果がある。またなぜなら流動媒体は流入部で完全に混合されており、そのため該流動媒体は、流入部コレクタにおいてはもはや温度の不均衡が存在しないと見なされるため、上方燃焼チャンバ領域１２における側壁に関してこの接続構造は有利となる。ツーパスボイラとして設計された連続流動蒸気発生器の燃焼チャンバの蒸気発生器チューブの本発明に基づく接続構造は、下方側壁流出部コレクタと、上方前壁および後壁と、上方側壁の流入部における付加的なコレクタとの間のパイプラインのための構造に関して付加的な出費を正当にもたらす。なお本発明に基づく接続構造を用いることによって、材料Ｔ２３およびＴ２４の使用を実施的に回避でき、かつ処理に関連する困難性を避けることができる。さらに本発明に基づく接続構造を用いて、発電所の作動状態は、連続流動蒸気発生器または連続強制流動蒸気発生器の形態の連続流動蒸気発生器が６００℃から７００℃の範囲のより高いフレッシュスチーム温度で作動するよう意図されると考えられる。これは原則的には、流動媒体の局所的な混合を引き起こす加熱面セグメントの所定の様式の相互接続構造によって実現される。そのため同様に、下方燃焼チャンバ領域１１の前壁Ｆおよび後壁Ｒの加熱面セグメントからの流動媒体を、上方燃焼チャンバ領域１２の側壁Ｓの加熱面セグメントの作動媒体に混合できる構造を提供できる。
【符号の説明】
【００１７】
１  燃焼チャンバ
２  水平ガス通路
４  立下り管
５  水分離システム
６  流入部コレクタ
７  下流過熱器チューブ
１０  蒸気発生器チューブ
１１  下方燃焼チャンバ領域
１２  上方燃焼チャンバ領域
３１，３３，３４  第１の流路コレクタ
３２  流出部コレクタ
３５，３７  第２の流出部コレクタ
３６，３６’  流出部コレクタ
Ｈ１〜Ｈ１０  加熱面セグメント
Ｆ  前壁
Ｒ  後壁
Ｓ  側壁
Ｎ  ノーズ
Ｇ  火格子
【国際調査報告】
2016529467.tif 000004
2016529467.tif 000005
2016529467.tif 000006
2016529467.tif 000007